(57)【特許請求の範囲】
【請求項１】
１本乃至３本の単３形電池（Ｂ３）を単１形電池（Ｂ１）の代用として使用可能とする電池アダプタであって、
上記単１形電池（Ｂ１）と同一形状に形成されると共に一側辺側のヒンジ部（４）廻りに揺動して開閉可能な上半体（１）と下半体（２）から成る円筒状ケース本体（３）と、該ケース本体（３）の軸心方向両端部（３Ａ）（３Ｂ）に付設され上記単３形電池（Ｂ３）のプラス電極（１５）及びマイナス電極（１６）に接触する陽電極具（５）及び陰電極具（６）とを、備え、
上記ケース本体（３）は、上記下半体（２）の底壁部（２０）の内周中間位置（Ｃ２）に軸心方向に沿って突隆部（２１）を立設し、かつ、上記上半体（１）の内面の左右各々に突設され上記上半体（１）の内周中間位置（Ｃ１）に凹部（７）を形成する複数の支持片（１０）を備え、
上記突隆部（２１）と複数の上記支持片（１０）によって、１本又は２本の上記単３形電池（Ｂ３）を上記ケース本体（３）の中で動かないように保持して収納可能とし、かつ、該ケース本体（３）の中に最大で３本まで上記単３形電池（Ｂ３）を並列状に収納可能としたことを特徴とする電池アダプタ。
【請求項２】
上記上半体（１）と下半体（２）とヒンジ部（４）が、プラスチック一体成型品から成り、該ヒンジ部（４）が、弯曲薄肉片状に形成されている請求項１記載の電池アダプタ。
【請求項３】
上記陽電極具（５）は、その電触面（８Ａ）が上記ケース本体（３）の一端部（３Ａ）から突出する導体（８）と、該導体（８）を保持すると共に上記単３形電池（Ｂ３）のプラス電極（１５）を挿通状として該導体（８）に接触させる複数の貫孔（２７）を有する取付板部（１７）とを、備え、
該取付板部（１７）は、上記貫孔（２７）の側端縁部（２７Ａ）に鉛直方向に誘導傾斜面部（１９）を形成している請求項１又は２記載の電池アダプタ。
【請求項４】
上記ケース本体（３）は、上記陽電極具（５）が付設される一端部（３Ａ）寄りの上記下半体（２）の底壁部（２０）に、電池押出のための窓部（２６）を貫設している請求項１，２又は３記載の電池アダプタ。
【請求項５】
上記陰電極具（６）は、その電触面（９Ａ）が上記ケース本体（３）の他端部（３Ｂ）に露出する導体（９）と、該導体（９）を保持すると共に該導体（９）に複数個付設されるコイルバネ状電気接続端子（２５）を挿通状として上記単３形電池（Ｂ３）のマイナス電極（１６）に接触させる複数の貫孔（２８）を有する取付板部（１８）とを、備え、
上記電気接続端子（２５）は、先端（２５Ａ）に向かって次第に縮径するように形成されている請求項１，２，３又は４記載の電池アダプタ。
【請求項６】
上記陰電極具（６）は、上記取付板部（１８）の中央部（１８Ｃ）に、位置ずれ防止用突起（２３）を突設している請求項５記載の電池アダプタ。
【請求項７】
上記陰電極具（６）は、上記取付板部（１８）の周縁部（１８Ｂ）近傍に、２本の取出補助用突起（２４）（２４）を突設している請求項５又は６記載の電池アダプタ。
【発明の詳細な説明】
【技術分野】
【０００１】
本発明は、電池アダプタに関する。
【背景技術】
【０００２】
従来、本願出願人は、番手の小さい（小型の）規格電池を番手の大きい（大型の）規格電池の代用として使用するための電池アダプタを提案している（特許文献１参照）。
【先行技術文献】
【特許文献】
【０００３】
【特許文献１】特開２００２−６３８７９号公報
【発明の概要】
【発明が解決しようとする課題】
【０００４】
しかし、従来の電池アダプタは、ケースの形状を大型規格電池と略同一に形成しているが、内部に小型規格電池を１本しか収納できないため、大型規格電池に比べて電気容量が小さくなるので、直ぐに電池が使えなくなるという支障があった。
【０００５】
そこで、本発明は、複数本の小型規格電池を大型規格電池として使用可能な電池アダプタを提供することを目的とする。
【課題を解決するための手段】
【０００６】
本発明に係る電池アダプタは、１本乃至３本の単３形電池を単１形電池の代用として使用可能とする電池アダプタであって、上記単１形電池と同一形状に形成されると共に一側辺側のヒンジ部廻りに揺動して開閉可能な上半体と下半体から成る円筒状ケース本体と、該ケース本体の軸心方向両端部に付設され上記単３形電池のプラス電極及びマイナス電極に接触する陽電極具及び陰電極具とを、備え、上記ケース本体は、上記下半体の底壁部の内周中間位置に軸心方向に沿って突隆部を立設し、かつ、上記上半体の内面の左右各々に突設され上記上半体の内周中間位置に凹部を形成する複数の支持片を備え、上記突隆部と複数の上記支持片によって、１本又は２本の上記単３形電池を上記ケース本体の中で動かないように保持して収納可能とし、かつ、該ケース本体の中に最大で３本まで上記単３形電池を並列状に収納可能としたものである。
【０００７】
また、上記上半体と下半体とヒンジ部が、プラスチック一体成型品から成り、該ヒンジ部が、弯曲薄肉片状に形成されているものである。
【０００８】
また、上記陽電極具は、その電触面が上記ケース本体の一端部から突出する導体と、該導体を保持すると共に上記単３形電池のプラス電極を挿通状として該導体に接触させる複数の貫孔を有する取付板部とを、備え、該取付板部は、上記貫孔の側端縁部に鉛直方向に誘導傾斜面部を形成しているものである。
また、上記ケース本体は、上記陽電極具が付設される一端部寄りの上記下半体の底壁部に、電池押出のための窓部を貫設しているものである。
【０００９】
また、上記陰電極具は、その電触面が上記ケース本体の他端部に露出する導体と、該導体を保持すると共に該導体に複数個付設されるコイルバネ状電気接続端子を挿通状として上記単３形電池のマイナス電極に接触させる複数の貫孔を有する取付板部とを、備え、上記電気接続端子は、先端に向かって次第に縮径するように形成されているものである。
また、上記陰電極具は、上記取付板部の中央部に、位置ずれ防止用突起を突設しているものである。
また、上記陰電極具は、上記取付板部の周縁部近傍に、２本の取出補助用突起を突設しているものである。
【発明の効果】
【００１０】
本発明の電池アダプタによれば、複数本の小型規格電池をもって大型規格電池と同等程度の電気的仕事をすることが可能である。また、電池の取り付け・取り外しが容易に行え、至便である。
【図面の簡単な説明】
【００１１】
【図１】本発明の実施の一形態を示した斜視図である。
【図２】ケース本体の開状態を示す平面図である。
【図３】ケース本体の断面正面図である。
【図４】使用状態の電池アダプタを示す断面正面図である。
【図５】使用状態の電池アダプタを示す断面側面図である。
【図６】陽電極具を示した要部拡大背面図である。
【図７】陽電極具の貫孔を示した断面図であり、（ａ）は図６のＸ-Ｘ断面図であり、（ｂ）は図６のＹ-Ｙ断面図である。
【図８】陽電極具を示した要部拡大正面図である。
【図９】図８のＺ-Ｚ断面図である。
【図１０】大型規格電池及び小型規格電池を示した簡略説明図である。
【発明を実施するための形態】
【００１２】
以下、実施の形態を示す図面に基づき本発明を詳説する。
図１０に示すように、例えば、小型規格電池Ｂ３が単３形電池であり、かつ、大型規格電池Ｂ１が単１形電池である場合に於て、小型規格電池Ｂ３は、その高さ寸法Ｈ３が大型規格電池Ｂ１の高さ寸法Ｈ１よりも低く、また、その直径Ｒ３が大型規格電池Ｂ１の直径Ｒ１より小さく設定されている。このため、本発明の電池アダプタは、大型規格電池Ｂ１を使用すべき電気製品の電池収納部内に充填するものであって、番手の小さい小型規格電池Ｂ３を番手の大きい大型規格電池Ｂ１として使用可能とし、小型規格電池Ｂ３のプラス電極１５及びマイナス電極１６から電気を取り出すためのものである。
図１〜図４に示すように、本発明の電池アダプタは、大型規格電池Ｂ１の形状と略同一に形成されると共に一側辺側のヒンジ部４廻りに揺動して開閉可能な上半体１と下半体２から成る円筒状ケース本体３と、ケース本体３の軸心方向両端部３Ａ，３Ｂに付設され小型規格電池Ｂ３のプラス電極１５及びマイナス電極１６に接触する陽電極具５及び陰電極具６とを、備え、ケース本体３が、複数本の小型規格電池Ｂ３を並列状に収納可能として構成されている。
【００１３】
上半体１と下半体２とヒンジ部４が、プラスチック一体成型品から成り、ヒンジ部４が、弯曲薄肉片状に形成されている。
ケース本体３は、透明であるのが好ましく、外部から（目視で）小型規格電池Ｂ３が収納されているのを容易に確認できるようになっている。なお、ケース本体３は、小型規格電池Ｂ３（単３形電池）を最大で３本まで収納可能である。
上半体１は、半円柱状に形成され、その長手方向（ケース本体３の軸心方向）の両端に有する半円形状の前壁・後壁に半円形の切欠部１Ａ，１Ｂが形成されている。
下半体２は、半円柱状に形成され、その長手方向（ケース本体３の軸心方向）の両端に有する半円形状の前壁・後壁に半円形の切欠部２Ａ，２Ｂが形成されている。なお、収納される小型規格電池Ｂ３のプラス電極１５に対応する側を前方向とし、マイナス電極１６に対応する側を後方向とする。
上半体１と下半体２を閉じた状態（以下、閉状態という）では、ヒンジ部４は、弾性変形しており、上半体１と下半体２を開く方向に（小さな力で）弾発付勢している。閉状態では、上半体１の切欠部１Ａ，１Ｂと下半体２の切欠部２Ａ，２Ｂによってケース本体３の両端部３Ａ，３Ｂに円形状の孔部が形成される。
上半体１の他側辺側には、係止孔１４が設けられ、また、下半体２の他側辺側には、弾性舌片１３が一体状に突設されており、弾性舌片１３の係止爪１３ａを係止孔１４に係止させることで、上半体１と下半体２の閉状態を保持するように構成している。
【００１４】
上半体１と下半体２に、小型規格電池Ｂ３がケース本体３の中で動かないように保持するリブＡ１，Ａ２を設けている。
この構成により、ケース本体３に収納された３本の小型規格電池Ｂ３，Ｂ３，Ｂ３が、軸心方向に動くのを防止している。
具体的には、ケース本体３は、リブＡ１として、下半体２の底壁部２０の内面に軸心方向に突設されると共に下半体２の内周中間位置Ｃ２に突隆部２１を立設している。そして、上半体１の内面には、リブＡ２として、左右各々から横断面方向に突設されると共に上半体１の内周中間位置Ｃ１に凹部７を形成する複数の支持片１０を備えている。
突隆部２１は、下半体２の前後方向に連続する垂直壁状に形成され、下半体２の左右方向中央に上端縁部２２を有し、底壁部２０の上方の空間を左右均等に区画している。
ケース本体３は、上半体１と下半体２の開状態に於て、下半体２の突隆部２１の右側と左側の空間に各１本ずつ小型規格電池Ｂ３（単３形電池）を配設し、さらに、（下半体２の底壁部２０上で）左右に並んだ小型規格電池Ｂ３，Ｂ３の上に、もう１本別の小型規格電池Ｂ３を載置できるように構成している。そして、上半体１と下半体２を閉じた際に、下半体２の底壁部２０上に積み上げられた３本の小型規格電池Ｂ３，Ｂ３，Ｂ３を、支持片１０…にて上方から挟み込んで、ケース本体３の中で動かないように保持している。
【００１５】
図５と図６に示すように、陽電極具５は、その電触面８Ａがケース本体３の一端部３Ａから突出する導体８と、導体８を保持すると共に小型規格電池Ｂ３のプラス電極１５を挿通状として導体８に接触させる複数の貫孔２７を有する取付板部１７とを、備えている。
陽電極具５は、ケース本体３の（前方の）孔部に装着される平板型共通電極であって、ケース本体３に収納される３本の小型規格電池Ｂ３，Ｂ３，Ｂ３のプラス電極１５…を導体８に接触させている。
導体８は、下半体２の切欠部２Ａに嵌め込まれ、背面側から取付板部１７に係止されることで、ケース本体３の一端部３Ａに固着されている。陽電極具５の背面には、３本の小型規格電池Ｂ３，Ｂ３，Ｂ３のプラス電極１５…に対応して、有底窪地状の嵌込部３０…が形成されている。つまり、陽電極具５は、嵌込部３０…にプラス電極１５…を嵌め込んで、小型規格電池Ｂ３，Ｂ３，Ｂ３を（ケース本体３内の所定位置にて）左右方向に動かないように保持している。また、この構成により、プラス・マイナスを誤って小型規格電池Ｂ３を逆に装着した場合であっても、マイナス電極１６が導体８に接触することはなく、正しく使用でき、しかも、ケース本体３の一端部３Ａを補強する役目も果たしている。
図７に示すように、取付板部１７は、貫孔２７の側端縁部２７Ａに鉛直方向に誘導傾斜面部１９を形成している。
誘導傾斜面部１９は、貫孔２７の上側の側端縁部２７Ａに設けられ、下方に向かって次第に取付板部１７が薄肉状となるように面取りされている。この構成により、ケース本体３に収納された小型規格電池Ｂ３を（鉛直方向に揺動させて）取り外す際に、小型規格電池Ｂ３のプラス電極１５が貫孔２７の側端縁部２７Ａに引っ掛かることなく、嵌込部３０…からスムーズに離脱するようになっている。
【００１６】
図１及び図２と、図５に示すように、ケース本体３は、陽電極具５が付設される一端部３Ａ寄りの下半体２の底壁部２０に、電池押出のための窓部２６を貫設している。
窓部２６，２６は、ケース本体３の底壁部２０上に収納された２つの小型規格電池Ｂ３，Ｂ３に対応して２つ形成され、人の指や細い棒状のものを差し込み可能として構成され、小型規格電池Ｂ３を、（指や棒で）下方から押し出して容易に取り出せるように構成したものである。
【００１７】
図５と図８に示すように、陰電極具６は、その電触面９Ａがケース本体３の他端部３Ｂに露出する導体９と、導体９を保持すると共に導体９に複数個付設されるコイルバネ状電気接続端子２５を挿通状として小型規格電池Ｂ３のマイナス電極１６に接触させる複数の貫孔２８を有する取付板部１８とを、備えている。
陰電極具６は、ケース本体３の（後方の）孔部に装着される平板型共通電極であって、ケース本体３に収納されている３本の小型規格電池Ｂ３，Ｂ３，Ｂ３のマイナス電極１６…を電気接続端子２５を介して導体９に接触させている。
コイルバネ状電気接続端子２５は、（ケース本体３内の所定位置に収納される）３本の小型規格電池Ｂ３，Ｂ３，Ｂ３のマイナス電極１６…に対応して付設され、反発力をもって小型規格電池Ｂ３を陽電極具５に押し付け、小型規格電池Ｂ３，Ｂ３，Ｂ３を（ケース本体３内の所定位置に）保持している。また、陰電極具６は、ケース本体３の一端部３Ａを補強する役目も果たしている。
さらに、電気接続端子２５は、先端２５Ａに向かって次第に縮径するように形成されている。
この構成により、ケース本体３に収納された小型規格電池Ｂ３を取り外す際に、電気接続端子２５の先端２５Ａが、小型規格電池Ｂ３のマイナス電極１６に絡みつくことが著しく減少し、ケース本体３から小型規格電池Ｂ３をスムーズに取り外せるようになっている。
【００１８】
図８と図９に示すように、陰電極具６は、取付板部１８の中央部１８Ｃに、位置ずれ防止用突起２３を突設している。
突起２３は、取付板部１８と一体状に形成され、小型規格電池Ｂ３のマイナス電極１６側端面に当接して、ケース本体３の軸心方向への揺動を防止するように構成している。
ケース本体３に小型規格電池Ｂ３が収納された状態（図４参照）で、小型規格電池Ｂ３のマイナス電極１６を電気接続端子２５に押し付けて収縮させつつプラス電極１５を嵌込部３０に嵌め込んで装着すると、突起２３が、小型規格電池Ｂ３のマイナス電極１６側端面を係止して、小型規格電池Ｂ３がケース本体３の軸心方向に揺動するのを防止するように構成している。ケース本体３に収納された小型規格電池Ｂ３は、リブＡ１，Ａ２（支持片１０及び突隆部２１）によって保持され、軸心方向への揺動を規制されているが、突起２３を設けることにより、ケース本体３に強い遠心力や衝撃が加わる等、軸心方向への強い外力が作用した場合であっても、より確実に小型規格電池Ｂ３…を保持できるように構成している。突起２３は、ケース本体３に小型規格電池Ｂ３が１本だけ収納された状態であっても、小型規格電池Ｂ３を所定位置に保持し、確実に位置ずれを防止することが可能である。
そして、陰電極具６は、取付板部１８の周縁部１８Ｂ近傍に、２本の取出補助用突起２４，２４を突設している。
突起２４，２４は、ケース本体３の下半体２側に収納される２本の小型規格電池Ｂ３，Ｂ３の上方位置に対応して配設され、取付板部１８と一体状に形成されている。突起２４，２４は、ケース本体３に収納された小型規格電池Ｂ３，Ｂ３を取り外す際に、小型規格電池Ｂ３のマイナス電極１６側が上方に揺動するのを抑止し、ケース本体３から小型規格電池Ｂ３をスムーズに容易に取り外せるように構成している。
【００１９】
上述した本発明の電池アダプタの使用方法（作用）について説明する。
図３に示すように、上半体１と下半体２を開状態とし、小型規格電池Ｂ３のマイナス電極１６を陰電極具６の電気接続端子２５に押し付けつつ小型規格電池Ｂ３のプラス電極１５を陽電極具５の嵌込部３０に嵌め込んで装着する。小型規格電池Ｂ３は、電気接続端子２５の反発力によって陽電極具５側（ケース本体３の前方）に弾発付勢され、プラス電極１５が導体８に押し付けられる。こうして、陽電極具５と陰電極具６の間に嵌込まれた小型規格電池Ｂ３は、陰電極具６の突起２３により揺動が抑止され、かつ、プラス電極１５が陽電極具５の貫孔２７の係止状態から離脱しないように常時弾発付勢されているため、ケース本体３の中で動くことなく確実に位置決めされる。
【００２０】
同様にして、１本〜最大３本の小型規格電池Ｂ３…を装着し、その後、上半体１の係止孔１４に、下半体２の弾性舌片１３を係止させて、上半体１と下半体２を閉状態とする。なお、本発明の電池アダプタは、１本の小型規格電池Ｂ３の装着のみで使用が可能であり、電気製品の必要とする仕事量に応じて最大３本までの小型規格電池Ｂ３…を装着することが可能である。
【００２１】
次に、使い終わった小型規格電池Ｂ３をケース本体３から取り外す方法について説明すると、上半体１と下半体２を開状態とし、下半体２の下方から、窓部２６に指や棒状のものを差し込んで、小型規格電池Ｂ３を上方へ押し出す。この際、陰電極具６の突起２４は、小型規格電池Ｂ３のマイナス電極１６側が揺動しないように抑止し、プラス電極１５が誘導傾斜面部１９に摺接しながら貫孔２７の係止状態から離脱する。
【００２２】
なお、本発明は、設計変更可能であって、例えば、図１に示すように、上半体１と下半体２の側辺部に沿って、位置ズレ防止用の凸部３１・凹部３２を形成するも望ましい。この構成により、上半体１と下半体２の閉状態での強度と剛性を確保できる。
また、リブＡ１，Ａ２の構成は、上述の実施の形態に限定されず、上半体１と下半体２の夫々に、（単数又は複数の）リブ壁を長手方向縦長状に立設したものでも良く、下半体２側に２本の小型規格電池Ｂ３，Ｂ３を収納し、かつ、上半体１側に１本の小型規格電池Ｂ３を収納した状態で、軸心方向に動かないように保持する構成であれば何でも良い。
窓部２６については、下半体２の左右方向に横長状に形成したものを、一つだけ設けるも好ましい。
【００２３】
以上のように、本発明に係る電池アダプタは、番手の小さい小型規格電池Ｂ３を番手の大きい大型規格電池Ｂ１の代用として使用可能とする電池アダプタであって、大型規格電池Ｂ１の形状と略同一に形成されると共に一側辺側のヒンジ部４廻りに揺動して開閉可能な上半体１と下半体２から成る円筒状ケース本体３と、ケース本体３の軸心方向両端部３Ａ，３Ｂに付設され小型規格電池Ｂ３のプラス電極１５及びマイナス電極１６に接触する陽電極具５及び陰電極具６とを、備え、ケース本体３が、複数本の小型規格電池Ｂ３を並列状に収納可能としたので、電気容量は小さいが複数本の小型規格電池Ｂ３を使うことで、大型規格電池と同等程度の電気的仕事を行うことが可能となり、しかも、小型規格電池Ｂ３の取り付け・取り外しが容易に行え、至便である。
【００２４】
また、上半体１と下半体２とヒンジ部４が、プラスチック一体成型品から成り、ヒンジ部４が、弯曲薄肉片状に形成されているので、ケース本体３を簡単な構造とすることができ、製作が容易で、コストダウンが図れ、無駄を省くことができる。
【００２５】
また、小型規格電池Ｂ３が単３形電池であり、かつ、大型規格電池Ｂ１が単１形電池であって、ケース本体３は、小型規格電池Ｂ３を最大で３本まで収納可能としたので、汎用性の高く、コストパフォーマンスの良い単３形電池を使用でき、コストダウンを図ることができる。使用する電池を、単３形電池に統一することで、まとめ買いができ、高額な単１電池を買わなくて済むので経済的である。
【００２６】
また、上半体１と下半体２に、小型規格電池Ｂ３がケース本体３の中で動かないように保持するリブＡ１，Ａ２を設けたので、小型規格電池Ｂ３…を確実に位置決めすることができる。
【００２７】
また、ケース本体３は、上記リブＡ１，Ａ２として、下半体２の底壁部２０の内面に軸心方向に突設されると共に下半体２の内周中間位置Ｃ２に突隆部２１を立設し、かつ、上半体１の内面の左右各々から横断面方向に突設されると共に上半体１の内周中間位置Ｃ１に凹部７を形成する複数の支持片１０を備えたので、ケース本体３の中で小型規格電池Ｂ３…が動かないように確実に位置決めすることができる。リブＡ１，Ａ２として、十分な強度と剛性を有しており、小型規格電池Ｂ３…が突隆部２１及び支持片１０を乗り越えて動くことなく、より確実に保持できる。
【００２８】
また、陽電極具５は、その電触面８Ａがケース本体３の一端部３Ａから突出する導体８と、導体８を保持すると共に小型規格電池Ｂ３のプラス電極１５を挿通状として導体８に接触させる複数の貫孔２７を有する取付板部１７とを、備え、取付板部１７は、貫孔２７の側端縁部２７Ａに鉛直方向に誘導傾斜面部１９を形成しているので、ケース本体３に複数の小型規格電池Ｂ３…を確実に保持でき、かつ、着脱が容易に行える。しかも、ケース本体３の強度を向上できる。
【００２９】
また、ケース本体３は、陽電極具５が付設される一端部３Ａ寄りの下半体２の底壁部２０に、電池押出のための窓部２６を貫設しているので、小型規格電池Ｂ３の着脱が一層容易に行える。
【００３０】
また、陰電極具６は、その電触面９Ａがケース本体３の他端部３Ｂに露出する導体９と、導体９を保持すると共に導体９に複数個付設されるコイルバネ状電気接続端子２５を挿通状として小型規格電池Ｂ３のマイナス電極１６に接触させる複数の貫孔２８を有する取付板部１８とを、備え、電気接続端子２５は、先端２５Ａに向かって次第に縮径するように形成されているので、ケース本体３に複数の小型規格電池Ｂ３…を確実に保持でき、かつ、着脱が容易に行える。しかも、ケース本体３の強度を向上できる。
【００３１】
また、陰電極具６は、取付板部１８の中央部１８Ｃに、位置ずれ防止用突起２３を突設しているので、ケース本体３の中で小型規格電池Ｂ３…が動かないように確実に位置決めすることができる。特に、小型規格電池Ｂ３を１本だけ装着して使用する場合であっても、位置決めが容易で、かつ、確実に行える。
【００３２】
また、陰電極具６は、取付板部１８の周縁部１８Ｂ近傍に、２本の取出補助用突起２４，２４を突設しているので、小型規格電池Ｂ３の着脱が一層容易に行える。
【符号の説明】
【００３３】
１  上半体
２  下半体
３  ケース本体
３Ａ  一端部
３Ｂ  他端部
４  ヒンジ部
５  陽電極具
６  陰電極具
７  凹部
８  導体
８Ａ  電触面
９  導体
９Ａ  電触面
１０  支持片
１５  プラス電極
１６  マイナス電極
１７  取付板部
１８  取付板部
１８Ｂ  周縁部
１８Ｃ  中央部
１９  誘導傾斜面部
２０  底壁部
２１  突隆部
２２  上端縁部
２３  位置ずれ防止用突起
２４  取出補助用突起
２５  電気接続端子
２５Ａ  先端
２６  窓部
２７  貫孔
２７Ａ  側端縁部
２８  貫孔
Ａ１，Ａ２  リブ
Ｂ１  大型規格電池
Ｂ３  小型規格電池
Ｃ１  内周中間位置
Ｃ２  内周中間位置
【図１】
0005410459.tif 000002
【図２】
0005410459.tif 000003
【図３】
0005410459.tif 000004
【図４】
0005410459.tif 000005
【図５】
0005410459.tif 000006
【図６】
0005410459.tif 000007
【図７】
0005410459.tif 000008
【図８】
0005410459.tif 000009
【図９】
0005410459.tif 000010
【図１０】
0005410459.tif 000011